(57)【要約】  液滴出力を生成するためのシステムが、液滴生成器がシステムの本体から分離される分離持続時間を決定する。このタイミング情報は、液滴生成器の洗浄に関する助言情報を生成するために使用される。具体的には、洗浄プロトコルが守られなかったことが検出されるときに警告を提供することが可能である。
2021525606.tif 000002
【特許請求の範囲】
【請求項１】
液滴出力を生成するシステムであって、
本体と、
洗浄のために前記本体から分離可能な液滴生成器と、
前記本体からの前記液滴生成器の分離を検出するためのセンサと、
タイマと、
コントローラとを含み、該コントローラは、
前記タイマを制御して、前記液滴生成器が前記本体から分離される分離持続時間を決定し、且つ、
前記液滴生成器の洗浄に関する当該システムのユーザへの出力のための助言情報を生成する、ように構成され、該助言情報は、前記決定される分離持続時間を考慮する、
システム。
【請求項２】
前記コントローラは、閾値時間期間を設定するように構成され、前記決定される分離持続時間が前記閾値時間期間よりも短いならば、正しい洗浄が行われなかったことを示す助言情報を生成するように構成される、請求項１に記載のシステム。
【請求項３】
前記閾値時間期間は、少なくとも５分、例えば、少なくとも１０分である、請求項２に記載のシステム。
【請求項４】
前記コントローラは、前記液滴生成器が、
当該システムの最後の使用以来、または
当該システムの設定された数の使用以来、
前記本体から分離されている、分離持続時間を決定するように構成される、
請求項１乃至３のうちのいずれか１項に記載のシステム。
【請求項５】
用量送達時間期間の時間を決めるためのタイマシステムを更に含み、前記コントローラは、前記用量送達時間期間を更に考慮して前記助言情報を生成するように構成される、請求項１乃至４のうちのいずれか１項に記載のシステム。
【請求項６】
前記タイミングシステムは、用量の終了を検出する乾燥検出システムと、タイマとを含む、請求項５に記載のシステム。
【請求項７】
前記液滴生成器に駆動信号を提供するためのドライバを含み、前記乾燥検出システムは、前記駆動信号の特性または前記液滴生成器の電気特性をモニタリングするためのシステムを含む、請求項６に記載のシステム。
【請求項８】
当該システムは、振動メッシュネブライザを含み、前記液滴生成器は、ネブライザメッシュを含む、請求項１乃至７のうちのいずれか１項に記載のシステム。
【請求項９】
前記ネブライザメッシュは、マウスピースの一部であり、前記センサは、前記本体からの前記マウスピースの分離を検出するためのものである、請求項８に記載のシステム。
【請求項１０】
当該システムのユーザへの出力のために前記助言情報を無線送信するための無線コンポーネントを更に含む、請求項１乃至９のうちのいずれか１項に記載のシステム。
【請求項１１】
ディスプレイを更に含み、前記助言情報は、前記ディスプレイを介して前記ユーザに出力される、請求項１乃至９のうちのいずれか１項に記載のシステム。
【請求項１２】
可聴出力を更に含み、前記助言情報は、前記可聴出力を介して前記ユーザに出力される、請求項１乃至９のうちのいずれか１項に記載のシステム。
【請求項１３】
前記決定される分離持続時間は、前記助言情報を生成するために使用される、請求項１乃至１２のうちのいずれか１項に記載のシステム。
【請求項１４】
液滴出力を生成するためのシステムの洗浄をモニタリングするための方法であって、
前記システムは、液滴生成器の洗浄のために分離可能な、前記液滴生成器と、本体とを含み、当該方法は、前記システムによって実装され、
前記本体からの前記液滴生成器の分離を検出すること、
前記液滴生成器が前記本体から分離される分離持続時間を決定すること、および
前記液滴生成器の洗浄に関する前記システムのユーザへの助言情報を生成し且つ出力することを含み、前記助言情報は、前記決定される分離持続時間を考慮する、
方法。
【請求項１５】
閾値時間期間を設定すること、および、前記決定される分離持続時間が前記閾値時間期間よりも短いならば、正しい洗浄が行われなかったことを示す助言情報を生成することを含む、請求項１４に記載の方法。
【請求項１６】
前記液滴出力を生成するための動作時間を決定することを更に含み、前記助言情報を生成することは、前記決定される動作時間を更に考慮する、請求項１５に記載の方法。
【請求項１７】
前記液滴生成器が乾燥するようになるときを決定し、それによって、前記動作時間が決定されることを可能にするために、用量送達の終了を知らせることを含む、請求項１６に記載の方法。
【請求項１８】
前記システムは、振動メッシュネブライザを含み、前記液滴生成器は、ネブライザメッシュを含む、請求項１４乃至１７のうちのいずれか１項に記載の方法。
【請求項１９】
前記助言情報を前記システムのユーザに出力することは、前記助言情報を前記ユーザに無線送信することを含む、請求項１４乃至１８のうちのいずれか１項に記載の方法。
【請求項２０】
前記助言情報を前記システムのユーザに出力することは、前記助言情報を前記ユーザに表示することを含む、請求項１４乃至１８のうちのいずれか１項に記載の方法。
【請求項２１】
前記助言情報を前記システムのユーザに出力することは、前記助言情報に関連する音を生成することを含む、請求項１４乃至１８のうちのいずれか１項に記載の方法。
【請求項２２】
前記決定される分離持続時間は、前記助言情報を生成するために使用される、請求項１４乃至２１のうちのいずれか１項に記載の方法。
【請求項２３】
コンピュータプログラムコード手段を含むコンピュータプログラムであって、
前記コンピュータプログラムコード手段は、当該コンピュータプログラムがコンピュータで実行されるときに、請求項１４乃至２２のうちのいずれか１項に記載の方法を実行するように構成される、
コンピュータプログラム。
【発明の詳細な説明】
【技術分野】
【０００１】
本発明は、ネブライザ(噴霧器)のような液滴出力(droplet  outputs)を生成するシステムに関し、特に、適切な洗浄手順が利用されたことを検証する方法に関する。
【背景技術】
【０００２】
スプレー(水煙)またはミスト(噴霧)のような液滴の生成が必要とされる多くの用途がある。これらは、時間の経過と共に目詰まりするようになることがある液滴生成器を利用することがある。特に興味深い用途の１つは、エアロゾル形態における薬剤(medicament)の送達である。
【０００３】
吸入中に患者の肺に薬剤をエアロゾル形態で直接送達するためのデバイスについて、３つの基本的なカテゴリー、すなわち、定量吸入器（ＭＤＩ）、乾燥粉末吸入器（ＤＰＩ）、およびネブライザがある。
【０００４】
一般に、ＭＤＩにおける使用のために利用可能な薬剤は加圧処方で提供され、ＤＰＩにおける使用のために利用可能な薬剤は乾燥粉末処方で提供され、ネブライザにおける使用のために利用可能な薬剤は水溶液処方で提供される。
【０００５】
本発明は、ネブライザにとって特に興味を有するが、液滴出力を生成するためのシステムにより広く関心を有する。それらの使用の容易さの故に、多くの患者は、エアロゾル化された薬剤を送達するためにネブライザを好む。ネブライザは、薬剤をエアロゾル化するために異なる機構を用いることがある。例えば、空圧（またはジェット）ネブライザは、液体をエアロゾル形態に分散させるために、圧縮空気または酸素を利用する。対照的に、超音波ネブライザは、高周波振動を生成する圧電素子を励起するために電源を利用する。これらの振動は、小さな液滴を薬剤の表面から分離させ、それによって、エアロゾルを形成する。振動メッシュ技術（ＶＭＴ）ネブライザは、多数の微細な孔を有するメッシュを利用する。振動がメッシュ（またはネブライザ内の別のコンポーネント）内で誘発され、振動はメッシュ孔を通じて水性(aqueous-based)薬剤を押し出す。水性薬剤はエアロゾル形態でメッシュ孔から射出される。
【０００６】
ＶＭＴネブライザは、患者の間で人気が高まっている。しかしながら、ＶＭＴネブライザは、幾つかの欠点を提示する。例えば、ＶＭＴネブライザによって送達される幾つかの薬剤は、ネブライザメッシュの表面に蓄積する傾向がある。この蓄積は、メッシュ内の微細な孔を閉塞し、それによって、ネブライザの有効性を低下させることがある。例えば、１つ以上の孔の完全な閉塞は、デバイスの効率を低下させることがあり、あるいは、最終的には、あらゆる薬剤が患者にディスペンス(計量分配)されるのを妨げることがある。加えて、１つ以上の孔の部分的な閉塞は、粒子サイズまたは送達時間に負の影響を及ぼすことがあり、よって、処方された療法の有益な効果を低減または排除する可能性がある。
【０００７】
従って、ＶＭＴネブライザのメッシュを定期的に洗浄する必要がある。典型的なネブライザ洗浄プロトコルは、ネブライザを分解し（単独またはモジュールの一部として）メッシュを除去することを必要とする。基本的な洗浄プロトコルは、温かい石鹸水でメッシュを洗浄することを含む。然る後、メッシュを水道水で濯ぎ、空気乾燥させる。メッシュが乾燥した後に、メッシュをネブライザに再び挿入し、然る後、ネブライザを使用のために再び組み立てる。他の洗浄プロトコルも、洗浄剤を浸漬して乾燥させることによって、或いは、特定の時間に亘って水中で煮沸し、然る後、乾燥させることによって、メッシュを洗浄するために提案されている。他の洗浄プロトコルは、例えば、メッシュが高温食器洗浄機、オートクレーブ、および／または超音波洗浄機内に配置されることを必要とする。
【０００８】
よって、これらの洗浄プロトコルは、典型的には、全て、少なくとも数分の持続時間を必要とする。特許文献１は、ＶＭＴネブライザのための様々な洗浄動作を開示している。
【０００９】
典型的なメッシュネブライザシステムを用いた療法の投与は、迅速に行われることができるのに対し、後続の洗浄および乾燥操作は、上記で説明したように、時間がかかる。ユーザは、典型的には、定期的に（すなわち、使用後に濯いで空気乾燥風乾するために最低限として）洗浄するように或いは消毒のために上記で議論した一連の指示に従うように製造者から指示される。
【００１０】
従って、ユーザが、時間または関心の欠如により、所要の分解、洗浄および再組立作業を行わないリスクがある。
【００１１】
特許文献２は、使用後にデバイスが分離されないならば、洗浄を必要とすることの注意喚起を提供するネブライザを開示している。しかしながら、これは洗浄が実際に行われたかどうかを検出することを可能にしない。特許文献３は、解放可能に接続される上方部分および下方部分を有する別のネブライザを開示している。特許文献４は、特に、加熱によってエアロゾルを生成する喫煙物品(smoking  article)についての、エアロゾル生成デバイスを開示している。喫煙物品がデバイスから取り出されるならば、加熱要素は洗浄体制(cleaning  regime)に曝されることがある。
【発明の概要】
【発明が解決しようとする課題】
【００１２】
ネブライザの正しい動作が維持されるように、正しい洗浄が行われたかどうかを評価する必要が依然としてある。
【課題を解決するための手段】
【００１３】
本発明は、請求項によって定義される。
【００１４】
本発明の態様に従った例によれば、液滴出力を生成するシステムが提供され、システムは、本体と、洗浄のために本体から分離可能な液滴生成器と、本体からの液滴生成器の分離を検出するためのセンサと、タイマと、コントローラとを含み、コントローラは、タイマを制御して、液滴生成器が本体から分離される分離持続時間(分離時間持続)(separation  time  duration)を決定し、且つ、液滴生成器の洗浄に関する当該システムのユーザへの出力のための助言情報を生成する、ように構成され、助言情報は、決定される分離持続時間を考慮する。
【００１５】
このシステムは、液滴発生器が洗浄のために分離されるときを検出し、その分離持続時間をモニタリングする。推奨される洗浄プロトコルが守られるためには、分離持続時間が特定の閾値よりも大きくなければならないので、正しい洗浄プロトコルが守られることができないことが決定されるときに、デバイスは警告を提供することができる。
【００１６】
コントローラは、閾値時間期間を設定するように構成されてよく、決定される分離持続時間が閾値時間期間よりも短いならば、正しい洗浄が行われなかったことを示す助言情報を生成するように構成される
【００１７】
閾値時間期間は、例えば、おざなりな濯ぎ洗いを行うために必要とされる時間よりも長いが、完全な推奨される洗浄プロトコルを実施するために必要とされる典型的な時間よりも短い。よって、それはおざなりな濯ぎ洗いとフルウォッシュとの間の区別を可能にする。
【００１８】
閾値時間期間は、例えば、少なくとも５分、例えば、少なくとも１０分である。
【００１９】
コントローラは、好ましくは、液滴生成器が、当該システムの最後の使用以来、または当該システムの設定された数の使用以来、前記本体から分離されている、分離持続時間を決定するように構成される。
【００２０】
よって、デバイスは、推奨される洗浄プロトコルに設定される。これは各使用後の濯ぎ洗い(リンス)であってもよいが、完全な洗浄は、一定の回数の使用後であり、或いは、それは各使用の完全な洗浄であってよい。よって、一般的に、デバイスは、使用情報および推奨される洗浄スケジュールに基づいて、推奨される洗浄プロトコルが必要とされるときをモニタリングすることが好ましい。
【００２１】
デバイスは、最後に検出された完全な洗浄以来の時間をモニタリングすることもあるので、使用に拘わらず、一定の時間期間の後に、洗浄が推奨される。
【００２２】
システムは、用量送達時間期間の時間を決めるためのタイマシステムを更に含んでよく、コントローラは、用量送達時間期間を更に考慮して助言情報を生成するように構成される。
【００２３】
用量送達のための時間は、清浄度の状態に依存する。よって、洗浄動作の後に、用量送達時間期間に段階的変化(step  change)があることが予想される。これは、デバイス分離を検出することに加えて、実際の洗浄が行われたことを決定する方法を提供する。
【００２４】
タイミングシステムは、例えば、用量の終了を検出するための乾燥検出システム(dry  detection  system)と、タイマ(timer)とを含む。乾燥状態が検出されるまでのタイミングによって、用量送達時間が得られる。
【００２５】
システムは、液滴生成器に駆動信号を提供するためのドライバ(driver)を含み、乾燥検出システムは、駆動信号の特性または液滴生成器の電気特性をモニタリングするためのシステムを含む。駆動信号は、駆動電流であってよい。これは、乾燥検出を実施するための１つの方法を提供する。
【００２６】
液体試料が液滴に変換されるときを決定するために、液体レベルセンサが提供されてよい。よって、液滴送達期間の開始から、液体レベルが（全試料の送達であってもなくてもよい）固定点に達する時点まで、時間の測定(タイミング)(timing)が実施されてよい。液体レベル検出は、乾燥検出を実施するための別の方法を提供する。
【００２７】
全ての場合において、液滴生成器が部分的に詰まるとき、（例えば、固定用量の薬剤の噴霧のための）液滴出力の生成は、より長い時間を要する。よって、動作時間の追加的なモニタリングは、液滴生成器の清浄度の状態の更なる指標を提供し、この追加的な情報は、洗浄助言をより正確にするために使用されることがある。
【００２８】
システムは、振動メッシュネブライザを含んでよく、液滴生成器は、ネブライザメッシュを含む。その場合、液体試料は、ある用量の薬剤である。
【００２９】
この場合、ネブライザメッシュは、マウスピースの一部であり、センサは、前記本体からの前記マウスピースの分離を検出するためのものである。マウスピースは、全体として洗浄プロトコルにさらされてよく、或いは、マウスピースは、更なる分解を必要とすることがある。
【００３０】
ユーザに助言情報を出力することは、システム自体を介してユーザに情報を出力すること、またはシステムに対して外部のデバイスを介してユーザに情報を出力することを含んでよい。
【００３１】
実施形態によれば、システムは、システムのユーザへの出力のために助言情報を無線送信するための無線コンポーネントを更に含む。例えば、無線コンポーネント、例えば、チップは、システム、例えば、スマートフォンまたはウェアラブルから外部のデバイスに助言情報を送信するように構成される。例えば、スマートフォンは、助言情報を受信し、それによって、スマートフォン上で動作するアプリが、スマートフォンのディスプレイを介して、適切な方法でユーザに助言情報を表示する。
【００３２】
実施形態によれば、システムは、ディスプレイ、例えば、スクリーンを含む。その実施形態において、助言情報は、ディスプレイを介してユーザに出力される。
【００３３】
実施形態によれば、システムは、可聴出力、例えば、ラウドスピーカを含む。その実施形態において、助言情報は、可聴出力を介してユーザに出力される。異なる助言情報について、異なる音が使用されてよい。このために、可聴出力は、異なる音を生成することができる。
【００３４】
本発明は、液滴出力を生成するためのシステムの洗浄をモニタリングするための方法も提供し、システムは、液滴生成器の洗浄のために分離可能な、液滴生成器と、本体とを含み、当該方法は、システムによって実装され、
本体からの液滴生成器の分離を検出すること、
液滴生成器が本体から分離される分離持続時間を決定すること、および
液滴生成器の洗浄に関するシステムのユーザへの助言情報を生成し且つ出力することを含み、助言情報は、決定される分離持続時間を考慮する。
【００３５】
方法は、例えば、閾値時間期間を設定すること、および、決定される分離持続時間が閾値時間期間よりも短いならば、正しい洗浄が行われなかったことを示す助言情報を生成することを含む。
【００３６】
方法は、液滴出力を生成するための動作時間を決定することを含んでもよく、助言情報を生成することは、決定される動作時間を更に考慮する。
【００３７】
動作時間は、液滴生成器が乾燥するようになるときを検出すること、それによって、用量送達の終了を知らせること、およびこの時点にタイミングを合わせることに基づいて得られてよい。
【００３８】
実施形態によれば、システムのユーザに助言情報を出力することは、ユーザに助言情報を無線送信することを含む。例えば、情報は、ユーザに情報を出力するデバイスと通信する中間サーバに送信されてよい。代替的に、情報は、ユーザに情報を出力するデバイス、例えば、スマートフォンに直接送信されてよい
【００３９】
実施形態によれば、システムのユーザに助言情報を出力することは、システムのディスプレイを介してユーザに助言情報を表示することを含む。
【００４０】
実施形態によれば、システムのユーザに助言情報を出力することは、システムの可聴出力を使用して、助言情報に関連する音を生成することを含む。異なる助言情報について、異なる音が使用されてよい。
【００４１】
システムは、好ましくは、振動メッシュネブライザと、ネブライザメッシュを含む液滴生成器とを含む。メッシュは、好ましくは、マウスピースの一部であり、本体からのメッシュの分離を検出することは、本体からのマウスピースの分離を検出することを含む。
【００４２】
本発明は、少なくとも部分的にソフトウェアにおいて実装されてよく、よって、本発明は、コンピュータプログラムコード手段を含むコンピュータプログラムも提供し、コンピュータプログラムコードは、プログラムがコンピュータ上で実行されるときに、上記で定義する方法を実装するように構成される。
【００４３】
本発明のこれらのおよび他の態様は、以下に記載する（複数の）実施形態から明らかになり、それらを参照して解明されるであろう。
【００４４】
発明をより良く理解し、かつ、それがどのように実施されることがあるかをより明確に示すために、ほんの一例として、添付の図面を次に参照する。
【図面の簡単な説明】
【００４５】
【図１】知られている振動メッシュネブライザを示している。
【図２】分解図として図１のネブライザを示している。
【図３】本発明の例に従ったネブライザを概略形態で示している。
【図４】洗浄モニタリング方法を示している。
【発明を実施するための形態】
【００４６】
図面を参照して本発明を記載する。
【００４７】
詳細な記述および具体的な例は、装置、システムおよび方法の例示的な実施形態を示しているが、例示の目的のためにのみに意図されており、本発明の範囲を限定することは意図されていないことが理解されるべきである。本発明の装置、システムおよび方法のこれらおよび他の構成、態様、および利点は、以下の記述、付属の特許請求の範囲、および添付の図面からより良く理解されるであろう。図面は概略的であるに過ぎず、縮尺通りに描かれていないことが理解されるべきである。同じまたは類似の部分を指し示すために、図面を通じて同じ参照番号が使用されていることも理解されるべきである。
【００４８】
本発明は、液滴生成器がシステムの本体から分離される間の分離持続時間を決定する液滴生成システムを提供する。このタイミング情報は、液滴生成器の洗浄に関する助言情報を生成するために使用される。特に、洗浄プロトコルに従わなかったことが検出されたときに警告を提供することが可能である。
【００４９】
本発明は、振動メッシュネブライザについて特に関心を有する。先ず、本発明に従った変形を説明する前に、振動メッシュネブライザの一般的な構成および動作を記載する。
【００５０】
図１は、等角図であり、図２は、ＶＭＴネブライザ１０の分解図である。これらの画像は、特許文献１から取られている。
【００５１】
ネブライザ１０は、本体１２の形態の下方部分と、マウスピース１４の形態の上方部分とを含む。本体１２は、再充電可能なバッテリパックのような電源（図示せず）と、オン／オフスイッチ１６と、ディスプレイ１８と、ホーンデバイス２０(horn  device)とを含む。本体１２は、ネブライザ１０の動作を制御するために使用される回路構成（図示せず）を収容する。例示的な実施形態において、回路構成は、例えば、ディスクおよび／またはメモリに格納される、命令および制御データにアクセスするように構成される、マイクロプロセッサを含む。命令は、投与量と、投与頻度と、送達されてよい投与数とを含んでよい。制御データは、薬剤(medicament)ロット番号と、使用期限とを含んでよい。マイクロプロセッサは、命令および制御データに応答してルーチンを実行するように構成される。他の回路構成と共に、ネブライザ１０に、適切な投与量の薬剤を患者にディスペンス(計量分配)させる。
【００５２】
マウスピース１４は、本体１２に取り外し可能に接続され、薬剤チャンバ２２と、ガイド２４と、可撓性ハウジング２９と、チャンバ蓋２６と、マウスピースハウジング３０と含む。ホーンデバイス２０は、チャンバ２２の開口３４に嵌合するボス３２から延びる。チャンバ２２は、その中に水性(aqueous-based)薬剤を保持するように構成される。チャンバ２２は、ガイド２４と共に、薬剤をホーンデバイス２０に向ける。可撓性ハウジング２９は、上面と下面とを有するメッシュ２８を保持する。
【００５３】
ホーンデバイス２０は、本体１２内に収容される回路構成（図示せず）と電気的に連通している圧電素子（図示せず）を含む。本体１２のホーン２０および圧電素子は、メッシュ２８を振動させて、噴霧機構を形成する。より具体的には、メッシュ２８の下面は、ホーン２０の上面と接触する。圧電素子は、本体１２内に収容される回路構成によって駆動されるときに振動するように構成される。圧電素子の往復動によって引き起こされる振動運動は、ホーン２０およびメッシュ２８に伝達される。振動運動は、チャンバ２２内の水性薬剤がメッシュ２８の多数の孔を通過するようにさせる。メッシュ２８の上面にある孔から出る薬剤はエアロゾル化される。
【００５４】
メッシュの孔から出た後に、エアロゾル化された薬剤は、メッシュ２８の上面から開口２７を通じてマウスピース１４の出口に向かって進む。次に、エアロゾル化された薬剤は、患者によって吸入されることができる。
【００５５】
ネブライザ１０のマウスピース１４は、例えば、洗浄中に、そのコンポーネントに分解されることができる。具体的には、チャンバ蓋２６およびメッシュ２８は、ネブライザ１０の他のコンポーネントから分離されてよい。メッシュ２８は、洗浄中にチャンバ蓋２６内に収容されたままであってよく、且つ／或いは、メッシュ２８は、チャンバ蓋２６から取り外され、別々に洗浄されてよい。
【００５６】
これは可能なネブライザアーキテクチャの一例に過ぎず、他のアーキテクチャが可能である。
【００５７】
図３は、図１および図２の知られているシステムに対する追加の構成を例示するために、振動メッシュネブライザを概略的な形態で示している。
【００５８】
ネブライザ１０は、やはり、本体１２と、ネブライザメッシュ２８を含むマウスピース１４とを含む。ネブライザメッシュ２８は、洗浄のために本体１２から分離可能である。
【００５９】
具体的には、本体１２からのマウスピース１４の分離を検出することによって、本体１２からのネブライザメッシュの分離を検出するためのセンサ４０が提供される。
【００６０】
センサは、マウスピースと本体とが接続されるときに電気接触が行われるように、接触センサを含んでよい。光学センサ（例えば、マウスピースが接続されるときにマウスピースからの反射を検出するためのＬＥＤおよびフォトダイオード）または任意の他の接触センサまたは近接センサのような、他のセンサが使用されてよい。
【００６１】
本体は、センサ４０から情報を受信するコントローラ４２を有する。コントローラは、メッシュ４８のための駆動信号を生成する駆動信号生成器も含む。この駆動信号は、例えば、メッシュの共振周波数を整合するように選択される周波数を有し、この周波数は、典型的には、１２８ｋＨｚのような、１００ｋＨｚのオーダの大きさである。駆動電流がメッシュ２８に提供されて、メッシュを共振に設定する。
【００６２】
コントローラ４２の制御の下で時間期間を決定するために、タイマ４４が使用される。タイマ４４は、ネブライザメッシュ、すなわち、マウスピースが本体から分離される間の分離持続時間を測定するように作動される。実施形態によれば、次に、ディスプレイ１８（および／または可聴出力、例えば、ラウドスピーカ）を使用してネブライザのユーザに出力するために、コントローラによって助言情報(advisory  information)が生成される。実施形態によれば、助言情報は、ネブライザのユーザに出力するためにコントローラによって生成され、それによって、助言情報は、ユーザへの出力のために無線転送される。この出力は、ネブライザメッシュの洗浄に関する情報を提供する。特に、それは正しい洗浄が期限切れ(overdue)であることの警告(warning)および／または所要の洗浄タスクを実行するための命令(instructions)を提供する。この警告または命令は、決定される分離時間を考慮に入れる。
【００６３】
実施形態によれば、システムは、助言情報を無線送信するための無線コンポーネントを含む。例えば、システムは、他のデバイス、例えば、ウェアラブルデバイスまたはスマートフォンに助言情報を送信することができる、無線チップ(wireless  chip)を含む。無線コンポーネントは、１）助言情報をユーザに出力することができるデバイスに助言データを直接送信することができる、或いは、２）助言情報をユーザに出力することができるデバイスと通信する中間デバイス、例えば、サーバに助言データを送信することができる、ジグビー（登録商標）／ブルートゥース（登録商標）／ｗｉｆｉ（または任意の他の無線プロトコル）チップであってよい。
【００６４】
推奨される洗浄プロトコルが守られるために、分離時間は特定の閾値よりも大きい必要があるので、デバイスは、正しい洗浄プロトコルが守られることができないと決定されるときに、警告を提供することができる。
【００６５】
閾値は、おざなりな濯ぎ洗いを行うのに必要とされる時間よりも長いが、完全に推奨される洗浄プロトコルを行うのに必要とされる典型的な時間よりも短い。よって、それはおざなりな濯ぎ洗いと完全洗浄との間の識別を可能にする。閾値時間期間は、例えば、少なくとも５分、例えば、少なくとも１０分である。それは推奨される洗浄手順に依存する値に設定される。何故ならば、その手順を正しく完了するためには最小の時間期間を必要とするからである。
【００６６】
モニタリングされる洗浄プロトコルは、ネブライザの使用の度に必要とされることがあるので、モニタリングは、各使用後に行われる。しかしながら、洗浄プロトコルは、代わりに、各使用後の濯ぎ洗いと、設定された数の使用後または週に一度のような設定された時間後の完全な洗浄とを必要することがある。よって、閾値は、メッシュが本体から分離される度に適用されてよく、或いはネブライザの設定された使用回数または設定された時間期間後にのみ適用されてよい。
【００６７】
複数の閾値があってよい。例えば、少なくとも濯ぎ洗いが行われたことを確実にするために、各使用後に分離があることが必要とされてよい。これは短い時間閾値、例えば、１分を暗示する。次に、十分な洗浄が必要とされるときに、より長い時間閾値、例えば、１０分が適用されてよい。
【００６８】
例えば、管理／処置される状態に依存して、異なる洗浄プロトコルが可能である。よって、洗浄のモニタリングは、指定される洗浄プロトコルを考慮する。
【００６９】
上記の範囲において、システムは、所要の洗浄手順を行われなかったことを検出することができる。所要の洗浄が実施されたことのより高い信頼性を提供するために、追加の感知が使用されてよい。
【００７０】
洗浄の第１の効果は、用量送達時間(dose  delivery  time)が変化することである。よって、図３は、用量送達時間を測定するためのタイミングシステム４４、４６を示しており、次に、コントローラ４２は、実際に洗浄が行われたことを示す積極的な表示を提供する、用量送達時間を更に考慮する助言情報を生成するように構成される。
【００７１】
タイミングシステム４４、４６は、例えば、用量(dose)が開始するときからメッシュが乾燥するときまでの時間を測定し、よって、用量の終了を検出する乾燥検出システム４６を含む。上述のタイマ４４は、タイミングシステム４４、４６の一部を形成してよい。一例において、乾燥検出システム４６は、メッシュ２８への駆動電流をモニタリングすることによって実現されることができる。メッシュ駆動信号は、メッシュを共振に導き、メッシュによって提示される負荷は、所要の駆動電流に影響を与える。この負荷は、メッシュの湿潤状態または乾燥状態に依存するので、用量送達の終わりにメッシュが乾いているときに、電流の変化（降下）が観察される。
【００７２】
このようにして、デバイスが再接続された後に薬剤の用量を噴霧するための動作時間の変化は、メッシュが実際に洗浄されたことを反映する。動作時間はメッシュの清浄度の状態に依存することが知られており、実際には、ネブライザが正しく機能していることを検証するために、ユーザがこの時間を測定する必要があることが知られている。
【００７３】
湿潤状態と乾燥状態とを区別するための駆動電流をモニタリングすることが特許文献５でより詳細に論じられている。
【００７４】
完全な洗浄事象後の用量送達時間は、基礎値(ベースライン値)に戻らなければならない。よって、用量送達時間は、洗浄が行われたことを確認するためだけでなく、洗浄の有効性の指標を提供するためにも使用されてよい。
【００７５】
よって、（分離時間に基づいて）洗浄が行われたように思われるとしても、（用量時間が予期される基礎値に戻らないことに基づいて或いは閾値差を用いて）洗浄が有効ではなかったことを示すために、追加の警報が提供されてよい。これはメッシュの寿命を示してよく、或いはそれは正しい洗浄プロトコルが守られなかったことを示してよい。
【００７６】
現在のモニタリングは、送達された用量の終わりに乾燥メッシュを検出し、それによって、用量送達時間の測定を可能にする、１つの方法を提供する。代替的なアプローチは、液体の量をモニタリングすることであり、ユーザに送達されるべき薬物(drug)の用量または用量の一定部分が霧化されたときを決定するために、液体レベルセンサ４８を提供されてよい。よって、タイミングは、用量送達の開始から、液体レベルが（全用量の送達であってもなくてもよい）固定点に達した時点まで実施されてよく、或いは、タイミングは、用量送達の開始から、メッシュへの駆動電流のモニタリング（またはインピーダンスの測のような他の電気特性のモニタリング）に基づく乾燥状態の検出まで、実施されてよい。
【００７７】
液体レベルセンサは、例えば、静電容量または抵抗の変化に基づいて液体の有無を検出する用量チャンバ内の特定の場所にある液体感知電極として実装されてよい。任意の適切な液体感知またはレベル感知アプローチが使用されてよい。
【００７８】
図５は、液滴出力を生成するシステムの洗浄をモニタリングする方法を示している。本方法は、
ステップ５０において、本体からの液滴生成器の分離を検出すること、
ステップ５２において、液滴生成器が本体から分離される間の分離時間（ｔｓｅｐ）を決定すること、および
ステップ５４において、液滴生成器の洗浄に関連するシステムのユーザへの助言情報を生成し且つ出力することを含み、その情報は決定される分離時間を考慮に入れる。
【００７９】
本方法は、例えば、ステップ５６において、閾値時間（ｔｔｈｒｅｓｈｏｌｄ）期間を設定すること、および、ステップ５８において、液滴生成器が用量送達の終わりに乾燥したときを検出することを含む。
【００８０】
本方法は、ステップ６０において、液滴出力を生成する動作時間（ｔｏｐ）を決定することも含んでよく、助言情報を生成することは、決定される動作時間を更に考慮する。
【００８１】
上記の記述から明らかであるように、本方法は、好ましくは、振動メッシュネブライザによって実装され、動作時間は、固定用量（またはその比率）の液体薬剤を噴霧する時間である。
【００８２】
本発明は、液滴生成器のための洗浄プロトコルを有する他の液滴生成システムに適用されてよい。例は、殺虫剤、消毒、塗装、香料供給またはスプレー冷却システムのための送達システムである。
【００８３】
上記で論じたように、実施形態は、コントローラを利用する。コントローラは、所要の様々な機能を実行するために、ソフトウェアおよび／またはハードウェアを用いて、様々な方法で実装されることができる。プロセッサは、所要の機能を実行するためにソフトウェア（例えば、マイクロコード）を使用してプログラムされてよい１つ以上のマイクロプロセッサを利用する、コントローラの一例である。しかしながら、コントローラは、プロセッサを利用して或いは思料しないで実装されてよく、或いは、幾つかの機能を実行するための専用ハードウェアと他の機能を実行するためのプロセッサ（例えば、１つ以上のプログラムされたマイクロプロセッサおよび関連する回路構成）との組み合わせとして実装されてもよい。
【００８４】
本開示の様々な実施形態において利用されてよいコントローラコンポーネントの例は、従来のマイクロプロセッサ、特定用途向け集積回路（ＡＳＩＣ）、およびフィールドプログラマブルゲートアレイ（ＦＰＧＡ）を含むが、これらに限定されない。
【００８５】
様々な実装では、プロセッサまたはコントローラが、ＲＡＭ、ＰＲＯＭ、ＥＰＲＯＭ、およびＥＥＰＲＯＭのような、揮発性および不揮発性コンピュータメモリのような、１つ以上の記憶媒体と関連付けられてよい。記憶媒体は、１つ以上のプロセッサおよび／またはコントローラで実行されるときに所要の機能を実行する１つ以上のプログラムで符号化されてよい。様々な記憶媒体は、その上に格納される１つ以上のプログラムがプロセッサまたはコントローラ内にロードされることができるように、プロセッサまたはコントローラ内に固定されてよく或いは移送可能であってよい。
【００８６】
当業者は、特許請求する発明を実施する際に、図面、本開示および添付の請求の範囲の研究から、本開示の実施形態に対する変更を理解し、実施することができる。特許請求の範囲において、「含む」という語は、他の要素またはステップを除外せず、単数形の表現は、複数を除外しない。単一のプロセッサまたは他のユニットは、請求項に列挙される幾つかの項目の機能を充足することがある。特定の手段が相互に異なる従属項に列挙されているという単なる事実は、これらの手段の組み合わせが有利に利用し得ないことを示さない。コンピュータプログラムは、他のハードウェアと共にまたはその一部として供給される光記憶媒体またはすリッドステート媒体のような適切な媒体に格納／分配されてよいが、他の形態で、例えば、インターネットまたは他の有線若しくは無線通信システムを介して分配されてもよい。請求項中の如何なる引用符号も、その範囲を限定するものと解釈されてならない。
【先行技術文献】
【特許文献】
【００８７】
【特許文献１】米国特許出願公開第２００７／０１８９９１９号明細書
【特許文献２】米国特許出願公開第２００７／００７４７２２号明細書
【特許文献３】米国特許出願公開第２０１２／０２８５４４６号明細書
【特許文献４】米国特許出願公開第２０１７／０１８８６３４号明細書
【特許文献５】国際公開第２０１５／０１０８０９号
【図１】
2021525606.tif 000003
【図２】
2021525606.tif 000004
【図３】
2021525606.tif 000005
【図４】
2021525606.tif 000006
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
本体と、
洗浄のために前記本体から分離可能な液滴生成器と、
前記本体からの前記液滴生成器の分離を検出するためのセンサと、
タイマとを含む、
液滴出力を生成するシステムであって、
当該システムは、コントローラを含み、該コントローラは、
前記タイマを制御して、前記液滴生成器が前記本体から分離される分離持続時間を決定し、且つ、
前記液滴生成器の洗浄に関する当該システムのユーザへの出力のための助言情報を生成する、ように構成され、該助言情報は、前記決定される分離持続時間を考慮することを特徴とする、
システム。
【請求項２】
前記コントローラは、閾値時間期間を設定するように構成され、前記決定される分離持続時間が前記閾値時間期間よりも短いならば、正しい洗浄が行われなかったことを示す助言情報を生成するように構成される、請求項１に記載のシステム。
【請求項３】
前記閾値時間期間は、少なくとも５分、例えば、少なくとも１０分である、請求項２に記載のシステム。
【請求項４】
前記コントローラは、前記液滴生成器が、
当該システムの最後の使用以来、または
当該システムの設定された数の使用以来、
前記本体から分離されている、分離持続時間を決定するように構成される、
請求項１乃至３のうちのいずれか１項に記載のシステム。
【請求項５】
用量送達時間期間の時間を決めるためのタイマシステムを更に含み、前記コントローラは、前記用量送達時間期間を更に考慮して前記助言情報を生成するように構成される、請求項１乃至４のうちのいずれか１項に記載のシステム。
【請求項６】
前記タイミングシステムは、用量の終了を検出する乾燥検出システムと、タイマとを含む、請求項５に記載のシステム。
【請求項７】
前記液滴生成器に駆動信号を提供するためのドライバを含み、前記乾燥検出システムは、前記駆動信号の特性または前記液滴生成器の電気特性をモニタリングするためのシステムを含む、請求項６に記載のシステム。
【請求項８】
当該システムは、振動メッシュネブライザを含み、前記液滴生成器は、ネブライザメッシュを含む、請求項１乃至７のうちのいずれか１項に記載のシステム。
【請求項９】
前記ネブライザメッシュは、マウスピースの一部であり、前記センサは、前記本体からの前記マウスピースの分離を検出するためのものである、請求項８に記載のシステム。
【請求項１０】
当該システムのユーザへの出力のために前記助言情報を無線送信するための無線コンポーネントを更に含む、請求項１乃至９のうちのいずれか１項に記載のシステム。
【請求項１１】
ディスプレイを更に含み、前記助言情報は、前記ディスプレイを介して前記ユーザに出力される、請求項１乃至９のうちのいずれか１項に記載のシステム。
【請求項１２】
可聴出力を更に含み、前記助言情報は、前記可聴出力を介して前記ユーザに出力される、請求項１乃至９のうちのいずれか１項に記載のシステム。
【請求項１３】
前記決定される分離持続時間は、前記助言情報を生成するために使用される、請求項１乃至１２のうちのいずれか１項に記載のシステム。
【請求項１４】
液滴出力を生成するためのシステムの洗浄をモニタリングするための方法であって、
前記システムは、液滴生成器の洗浄のために分離可能な、前記液滴生成器と、本体とを含み、当該方法は、前記システムによって実装され、当該方法は、
前記本体からの前記液滴生成器の分離を検出することを含み、
当該方法は、
前記液滴生成器が前記本体から分離される分離持続時間を決定すること、および
前記液滴生成器の洗浄に関する前記システムのユーザへの助言情報を生成し且つ出力することを含み、前記助言情報は、前記決定される分離持続時間を考慮することを特徴とする、
方法。
【請求項１５】
閾値時間期間を設定すること、および、前記決定される分離持続時間が前記閾値時間期間よりも短いならば、正しい洗浄が行われなかったことを示す助言情報を生成することを含む、請求項１４に記載の方法。
【請求項１６】
前記液滴出力を生成するための動作時間を決定することを更に含み、前記助言情報を生成することは、前記決定される動作時間を更に考慮する、請求項１５に記載の方法。
【請求項１７】
前記液滴生成器が乾燥するようになるときを決定し、それによって、前記動作時間が決定されることを可能にするために、用量送達の終了を知らせることを含む、請求項１６に記載の方法。
【請求項１８】
前記システムは、振動メッシュネブライザを含み、前記液滴生成器は、ネブライザメッシュを含む、請求項１４乃至１７のうちのいずれか１項に記載の方法。
【請求項１９】
前記助言情報を前記システムのユーザに出力することは、前記助言情報を前記ユーザに無線送信することを含む、請求項１４乃至１８のうちのいずれか１項に記載の方法。
【請求項２０】
前記助言情報を前記システムのユーザに出力することは、前記助言情報を前記ユーザに表示することを含む、請求項１４乃至１８のうちのいずれか１項に記載の方法。
【請求項２１】
前記助言情報を前記システムのユーザに出力することは、前記助言情報に関連する音を生成することを含む、請求項１４乃至１８のうちのいずれか１項に記載の方法。
【請求項２２】
前記決定される分離持続時間は、前記助言情報を生成するために使用される、請求項１４乃至２１のうちのいずれか１項に記載の方法。
【国際調査報告】
2021525606.tif 000007
2021525606.tif 000008